(57)【特許請求の範囲】
【請求項１】
棺桶の長側面を構成する左右２枚の側板と、棺桶の短側面を構成する第一と第二の前後２枚の妻板と、棺桶の底を構成する底板とからなり、
前記側板は、側板下端付近に長手方向に設けた前記底板を嵌入可能な底板長手溝と、底板長手溝の略中央の溝上端に設けた底板ガイド部材と、側板の長手の両端に設けた妻板嵌合凹部とを備え、
前記第一の妻板は、妻板下端に前記底板を嵌入可能な底板溝と、妻板の両側面に突設した側板嵌合凸部とを備え、
前記第二の妻板は、妻板下端に前記底板を保持する支持板と、該支持板に載置された前記底板を固定する底板固定部材を挿入する留め孔と、妻板の両側面に突設した側板嵌合凸部とを備え、
前記底板は、側板の底板長手溝に嵌入した時、前記底板ガイド部材にクサビ状に当接して挿入寸法を規制すると共に左右両側板間の寸法を規制するガイド部材を長手方向の略中央の両側付近に備え、
前記左右両側板の前部に、上方から前記第一の妻板を挿入し妻板嵌合凹部と側板嵌合凸部とを嵌合し、次に、前記側板長手溝と前記側板溝に前記底板を嵌入させ、次に、前記左右両側板の後部に、下方から前記第二の妻板を挿入し妻板嵌合凹部と側板嵌合凸部とを嵌合し、最後に底板固定部材を前記第二の妻板の留め孔に挿入することにより組立可能であることを特徴とする棺桶。
【請求項２】
前記側板および第一、第二の妻板は、化粧合板であって表面の底部に化粧算木を備えていることを特徴とする請求項１記載の棺桶。
【発明の詳細な説明】
【０００１】
【発明の属する技術分野】
本発明は、棺桶に関し、詳しくは、固定用金具を使用せず可燃材料のみで構成し、容易に組立て可能な棺桶に関する。
【０００２】
【従来の技術】
従来、遺体を納め火葬に付する棺桶は、主構造を木製とし可燃材料によって箱体が製造されている。図７（ａ）は従来の棺桶１００の正面図、（ｂ）はその平面図を示す。直方体に形成された棺桶１００は、蓋５０と、側板１、１と、妻板３、３と底面２から構成されている。又、蓋５０には遺体を拝顔するための扉５１が設けられている。従来、側板１と妻板３との接合部、底板２と、側板１または妻板３との接合部は釘により固定されていた。このため、箱体の組立には５０本程度の釘や、装飾用の金具などが使用されていた。これらの釘、金具は火葬後に不燃物として残るため、遺族による収骨の前に火葬場の職員が手間をかけて回収していた。このため、遺族を待たせる問題と共に回収した金属の処分を行なわねばならない問題があった。
【０００３】
また、葬祭事業者にあっては、棺の組立に当たり、多数の釘うちの手間がかかる問題があった。又、釘うち音を発生するため、予め、保管倉庫などで組み立ててから遺体納棺場所まで運ばねばならなかった。このため、嵩ばり、一人では運搬できない問題があった。
【０００４】
前記組立の問題を解決するため、特開平８−２９９３９６号広報によれば、予め浅底の箱形状の妻、側基板に、蝶番で側板、妻板を取りつけて、内側に倒伏させておく折畳自在な棺桶が提案されている。この発明によれば組み立ての容易さと嵩張る問題は解決するが、釘、蝶番等の金具が多量に使用されている点と製作コストに問題があった。
【０００５】
【発明が解決しようとする課題】
本発明は、前述のような問題に鑑みてなされたものであり、保管に当たり少ない体積で運搬・保管容易であって、釘金具を用いず、組立が容易に短時間で行なうことができる棺桶を提供することを目的とする。
【０００６】
【課題を解決するための手段】
前記課題を解決するため、本発明の棺桶は、棺桶の長側面を構成する左右２枚の側板と、棺桶の短側面を構成する第一と第二の前後２枚の妻板と、棺桶の底を構成する底板とからなり、
前記側板は、側板下端付近に長手方向に設けた前記底板を嵌入可能な底板長手溝と、底板長手溝の略中央の溝上端に設けた底板ガイド部材と、側板の長手の両端に設けた妻板嵌合凹部とを備え、
前記第一の妻板は、妻板下端に前記底板を嵌入可能な底板溝と、妻板の両側面に突設した側板嵌合凸部とを備え、
前記第二の妻板は、妻板下端に前記底板を保持する支持板と、該支持板に載置された前記底板を固定する底板固定部材を挿入する留め孔と、妻板の両側面に突設した側板嵌合凸部とを備え、
前記底板は、側板の底板長手溝に嵌入した時、前記底板ガイド部材にクサビ状に当接して挿入寸法を規制すると共に左右両側板間の寸法を規制するガイド部材を長手方向の略中央の両側付近に備え、
前記左右両側板の前部に、上方から前記第一の妻板を挿入し妻板嵌合凹部と側板嵌合凸部とを嵌合し、次に、前記側板長手溝と前記側板溝に前記底板を嵌入させ、次に、前記左右両側板の後部に、下方から前記第二の妻板を挿入し妻板嵌合凹部と側板嵌合凸部とを嵌合し、最後に底板固定部材を前記第二の妻板の留め孔に挿入することにより組立可能であることを特徴とする。
【０００７】
また、前記側板および第一、第二の妻板は、化粧合板であって表面の底部に化粧算木を備えていることを特徴とする。
【０００８】
この発明によれば、側板、第一の妻板に設けられた溝と、第二の妻板に設けられた支持板により底板が固定され、側板の妻板嵌合凹部と妻板の両側に突出した側板嵌合凸部とが嵌合されることにより、釘などの金属製固定部材を一切使用せずに遺体納棺に耐える十分強固な棺桶を容易に短時間で組み立てることができる。
【０００９】
また、前記側板および第一、第二の妻板は、化粧合板であって表面の底部に化粧算木を備えることにより、白木調の荘厳な棺桶を、低コストで提供することができる。
【００１０】
このため、葬祭事業者の保管・運搬・組み立てのコストを低減し、さらに、火葬場での、金属類回収の手間と時間をなくすることができる。
【００１１】
【発明の実施の形態】
以下、本発明の実施の形態を図面を参照して詳細に説明する。なお、従来の技術の説明と同じ部材については同一の符号を付して説明する。
【００１２】
図１は、本発明の棺桶１００を示し、図１（ａ）は蓋部５０を外した状態の平面図である。図１（ｂ）は（ａ）のＡ−Ａ断面図、（ｃ）は（ａ）のＢ−Ｂ断面図、（ｄ）は（ａ）のｃ部拡大断面図、（ｅ）は（ａ）のｅ部の模式図である。
【００１３】
図１（ａ）において、１は左右の側板、２は底板、３は第一の妻板、４は第二の妻板、５は底板固定部材を示す。図に示すように本発明の棺桶１００は、長側面を構成する左右２枚の側板１と、棺桶１００の短側面を構成する第一と第二の前後２枚の妻板３、４と、棺桶の底を構成する底板２とから構成されている。左右の側板１、１の表面下端には化粧算木１ａ、前後の妻板３、４の表面下端には化粧算木３ａ、４ａが設けられている。側板１に備えた底板ガイド部材１ｃと、底板２に備えたガイド部材２ｃはそれぞれの略中央でクサビ状に当接し底板挿入寸法と、左右側板の間隔寸法を規制している。
【００１４】
図１（ｂ）は図１（ａ）のＡ−Ａ断面を示す。図示するように底板２は、第一の妻板３の底板溝３ｂに挿入して前部が固定され、第二の妻板４の支持板４ｂに載置され、留め孔４ｃに挿入された底板固定部材５で後部が固定される。さらに、側板１と底板２は側板に設けられた底板ガイド部材１ｃと、底板に設けられたガイド部材２ｃがクサビ状に当接し、底板２が側板１の底板長手溝１２から外れない様に規制されている。
【００１５】
図１（ｃ）は、図１（ａ）のＢ−Ｂ断面を示す。図示するように底板２は、左右両側板１、１の底板長手溝１２に挿入されて左右が固定されている。
【００１６】
図１（ｄ）は、図１（ａ）のｃ部の拡大断面を示す。この実施の形態で側板１は、枠材１０に表面が桐材などの化粧合板１１が張られたパネルで形成し、その端部枠材１０に妻板３、４と嵌合する妻板嵌合凹部１０ａを形成している。妻板嵌合凹部１０ａは、溝の入口より奥が広い形状の台形断面または、円形断面として、上方または下方から妻板３、４を挿入して嵌合した時、釘などで固定しなくとも左右に分離しない。
同様に妻板３は、枠材３０に表面が桐材などの化粧合板３１が張られたパネルで形成し、その端部枠材３０に側板１と嵌合する側板嵌合凸部３０ａを形成している。側板嵌合凸部３０ａは、先端が広い台形断面に形成している。
【００１７】
図１（ｅ）は、図１（ａ）のｅ部の拡大模式図である。図に示すように、側板１に設けられた底板ガイド部材１ｃは、底板２に設けられたガイド部材２ｃと当接する先端が側板１面に向かって切り込まれた片刃ポケットを形成し、反対に、底板２に設けられたガイド部材２ｃは底板内側に向かって切り込まれた片刃のクサビを形成し、底板２を側板１の底板長手溝１２に挿入した時、前記ガイド部材２ｃ先端の片刃のクサビが、側板１の底板ガイド部材１ｃの先端の片刃ポケットにスライドしながら当接して底板２が、側板１の底板長手溝１２から外れない様に規制する。このため、従来は、側板と底板の接続に多数使用されていた釘を全く用いないで、組み立て固定することができる。
【００１８】
図２は、本発明の側板１を示す。（ａ）は側板１の内面を示す平面図で、両端部に妻板３、４と嵌合するための妻板嵌合凹部１０ａ、下端部には、底板２を挿入するための底板長手溝１２を設け、底板長手溝１２の略中央の溝上端に底板ガイド部材１ｃを備えている。（ｂ）は、（ａ）の正面図である。（ｂ）に示すように側板１の表面の下部には化粧算木１ａを設けている。化粧算木１ａは、棺桶１００の下部の四隅に化粧金具（金色紙など可燃材で形成）などを配設して荘厳感を醸し出すことができる。本発明の実施に当たってこのような化粧部材はこれに限るものではない。又、設けなくても良いことは言うまでもない。
【００１９】
図３は、底板２を示す。底板２は、内面に桐材などの化粧合板を貼ったパネルまたは、合板で、遺体の重量に耐える強度を有する板であれば良い。底板２の長手方向略中央の両端に、ガイド部材２ｃを備える。ガイド部材２ｃは、底板２の内側に向かう片刃のクサビ状に形成され、底板２の長手端部から、側板１に設けた底板長手溝１２の溝の深さに相当する寸法内側に接着固定されて設けられている。
【００２０】
図４（ａ）は、第一の妻板３の内面を示す平面図である。３０ａは両側端に設けられた側板嵌合凸部、３ｂは、底板２を嵌入可能な底板溝である。３ａは、妻板表面底部に設けた化粧算木である。（ｂ）は、（ａ）のＡ−Ａ断面を示す。（ｃ）は（ａ）の側面を示す。（ｄ）は第一の妻板の正面図である。（ｄ）に示すように側板嵌合凸部３０ａは、先端が広い台形断面に形成している。
【００２１】
図５（ａ）は、第二の妻板４の内面を示す平面図である。３０ａは両側端に設けられた側板嵌合凸部、４ｂは、底板２を保持する支持板である。４ａは、妻板表面底部に設けた化粧算木である。４ｃは支持板４ｂに載置された底板２を固定する底板固定部材５を挿入するための留め孔である。前記底板固定部材５は可燃材で棒状に形成された木釘または竹釘を用いる。（ｂ）は、（ａ）の側面図、（ｃ）は（ａ）の正面図を示す。
【００２２】
次に、本発明の棺桶１００の組み立て工程を図６を参照して詳細に説明する。
【００２３】
まず、▲１▼左右の側板１、１を内面を対向させ、底板長手溝１２が下になるようにして平行に立てる。
【００２４】
次に、▲２▼第一の妻板３を上方から左右側板１、１の前方の妻板嵌合凹部１０ａに側板嵌合凸部３ａを嵌めて嵌入する。
【００２５】
次に、▲３▼左右側板１、１の後方から、側板１の底板長手溝１２に底板２を挿入し、底板２の先端が第一の妻板３の底板溝３ｂに嵌入するまで挿入する。この時、底板ガイド部材１ｃが形成する片刃ポケットにガイド部材２ｃの片刃クサビがスライドして当接して底板と側板が離れない様に規制される。また、底板２が底板溝３ｂに嵌入し、第一の妻板３が左右側板１から抜けない様に規制される。
【００２６】
次に、▲４▼第２の妻板４を下方から左右側板１、１の後方の妻板嵌合凹部１０ａに側板嵌合凸部３ａを嵌めて嵌入する。
【００２７】
次に、▲５▼底板固定部材５を第二の妻板４の留め孔４ｃに挿入し底板２を固定する。この時底板２は、底部が第二の妻板４の支持板に載置され、上部が底板固定部材５により挟まれて固定される。また、第二の妻板４は、固定された底板２により側板１から抜けない様に固定される。
【００２８】
以上▲１▼〜▲５▼の工程で棺桶本体が完成する。更に、予め作成された蓋５０を被せる。なお、化粧算木１ａ、３ａ、４ａで形成された四隅に化粧金具（金色紙などの可燃材で形成）を貼り付けるなどの装飾を飾ることで、荘厳な雰囲気に化粧し、さらに、棺内側に、白布を貼付けるなどの装飾を施しても良い。これらの装飾は、組立て前に予め設けておくことが望ましい。
【００２９】
以上の、嵌め込み、挿入の簡単な工程で短時間に、確実に組み立てることができるため、納棺の現場まで、組立て前の部品梱包状態で運搬することができる。
【００３０】
また、釘などの金属部材を一切使用しないため、組み立て時の打撃音もなく、静かな現場でも組み立てができ、さらに、火葬場において、火葬後の不燃金属回収の手間・時間をなくすることができる。
【００３１】
【発明の効果】
本発明によれば以下の効果を奏する。すなわち、側板、第一の妻板に設けられた溝と、第二の妻板に設けられた支持板により底板が固定され、側板の妻板嵌合凹部と妻板の両側に突出した側板嵌合凸部とが嵌合されることにより、釘などの金属製固定部材を一切使用せずに遺体納棺に耐える十分強固な棺桶を容易に短時間で組み立てることができる。
【００３２】
また、前記側板および第一、第二の妻板は、化粧合板であって表面の底部に化粧算木を備えることにより、白木調の荘厳な棺桶を、低コストで提供することができる。
【００３３】
このため、葬祭事業者の保管・運搬・組み立てのコストを低減し、さらに、火葬場での、金属類回収の手間と時間をなくすることができる。
【図面の簡単な説明】
【図１】本発明の棺桶１００を示し、（ａ）は蓋部５０を外した状態の平面図、（ｂ）は（ａ）のＡ−Ａ断面図、（ｃ）は（ａ）のＢ−Ｂ断面図、（ｄ）は（ａ）のｃ部拡大断面図、（ｅ）は（ａ）のｅ部の模式図である。
【図２】本発明の側板１を示し、（ａ）は内側の平面図、（ｂ）は正面図である。
【図３】本発明の底板２の平面図である。
【図４】本発明の第一の妻板３を示し、（ａ）は内側の平面図、（ｂ）は（ａ）のＡ−Ａ断面図、（ｃ）は側面図、（ｄ）は正面図である。
【図５】本発明の第２の妻板４を示し、（ａ）は内側の平面図、（ｂ）は側面図、（ｃ）は正面図である。
【図６】本発明の棺桶１００の組立工程を説明する模式図である。
【図７】従来の棺桶を示し、（ａ）は正面図、（ｂ）は平面図である。
【符号の説明】
１  側板
１ａ、３ａ、４ａ  化粧算木
１ｃ  底板ガイド部材
２  底板
２ｃ  ガイド部材
３  第一の妻板
３ｂ  底板溝
４  第２の妻板
４ｂ  支持板
４ｃ  留め孔
５  底板固定部材
１０  枠材
１０ａ  妻板嵌合凹部
１１  化粧合板
１２  底板長手溝
３０  枠材
３０ａ  側板嵌合凸部
３１  化粧合板
５０  蓋
５１  扉
１００  棺桶
【図１】
0003719390.tif 000002
【図２】
0003719390.tif 000003
【図３】
0003719390.tif 000004
【図４】
0003719390.tif 000005
【図５】
0003719390.tif 000006
【図６】
0003719390.tif 000007
【図７】
0003719390.tif 000008